(57)【要約】【課題】同じCell間でのCell reselectionを繰り返すことによる余分な電力消費を抑制することができる携帯電話装置及び制御プログラムの提供。【解決手段】各セルの基地局と無線通信を行う携帯電話装置において、複数のセルが重複する領域でセル再選択動作を実施した時の、当該セル再選択動作の実施時刻と移行前後のセルを特定する情報とを対応付けて記憶部に記憶し、前記記憶部に記憶されたセル間で、規定時間内に規定回数以上のセル再選択動作が実施された場合に、当該各セルの受信レベルを重み付けして平滑化する処理を行う。【選択図】図５
2010258735.tif 000002
【特許請求の範囲】
【請求項１】
各セルの基地局と無線通信を行う携帯電話装置において、
複数のセルが重複する領域でセル再選択動作を実施した時の、当該セル再選択動作の実施時刻と移行前後のセルを特定する情報とを対応付けて記憶部に記憶し、前記記憶部に記憶されたセル間で、規定時間内に規定回数以上のセル再選択動作が実施された場合に、当該各セルの受信レベルを重み付けして平滑化する処理を行う、ことを特徴とする携帯電話装置。
【請求項２】
前記平滑化に際して、前記各セルに対して、前回の受信レベルに第１の係数を乗算した値と現在の受信レベルに第２の係数を乗算した値とを加算した値を、前記第１の係数と前記第２の係数とを加算した値で除算する、ことを特徴とする請求項１に記載の携帯電話装置。
【請求項３】
前記平滑化に際して、現在選択中のセルに対しては、前回の受信レベルに第１の係数を乗算した値と現在の受信レベルに第２の係数を乗算した値とを加算した値を、前記第１の係数と前記第２の係数とを加算した値で除算し、再選択の候補となるセルに対しては、前回の受信レベルに前記第２の係数を乗算した値と現在の受信レベルに前記第１の係数を乗算した値とを加算した値を、前記第１の係数と前記第２の係数とを加算した値で除算する、ことを特徴とする請求項１に記載の携帯電話装置。
【請求項４】
各セルの基地局と無線通信を行う携帯電話装置で動作する制御プログラムであって、
前記携帯電話装置を、
複数のセルが重複する領域でセル再選択動作を実施した時の、当該セル再選択動作の実施時刻と移行前後のセルを特定する情報とを対応付けて記憶部に記憶し、前記記憶部に記憶されたセル間で、規定時間内に規定回数以上のセル再選択動作が実施された場合に、当該各セルの受信レベルを重み付けして平滑化するセル再選択動作抑制部として機能させる、ことを特徴とする制御プログラム。
【請求項５】
前記セル再選択動作抑制部は、前記平滑化に際して、前記各セルに対して、前回の受信レベルに第１の係数を乗算した値と現在の受信レベルに第２の係数を乗算した値とを加算した値を、前記第１の係数と前記第２の係数とを加算した値で除算する、ことを特徴とする請求項４に記載の制御プログラム。
【請求項６】
前記セル再選択動作抑制部は、前記平滑化に際して、現在選択中のセルに対しては、前回の受信レベルに第１の係数を乗算した値と現在の受信レベルに第２の係数を乗算した値とを加算した値を、前記第１の係数と前記第２の係数とを加算した値で除算し、再選択の候補となるセルに対しては、前回の受信レベルに前記第２の係数を乗算した値と現在の受信レベルに前記第１の係数を乗算した値とを加算した値を、前記第１の係数と前記第２の係数とを加算した値で除算する、ことを特徴とする請求項４に記載の制御プログラム。
【発明の詳細な説明】
【技術分野】
【０００１】
本発明は、携帯電話装置及び制御プログラムに関し、特に、携帯電話装置におけるセル再選択動作の抑制機能及び当該機能を実行する制御プログラムに関する。
【背景技術】
【０００２】
携帯電話装置を所有するユーザが、図１のように２つのCellが同等レベルで見える場所に居た場合には、例え携帯電話装置を移動させていなくとも、図２のようにフェージングや干渉の度合いにより各Cellの受信レベルが変動するため、該Cell間でCell reselection（セル再選択動作）を繰り返す場合がある。このような場合には、ユーザが携帯電話装置を使用していないにも関わらず、余計な電力消費が発生してしまいバッテリー切れになってしまうという問題がある。
【０００３】
特に、LAI値が異なるCellに対してCell reselectionを実施した場合には、Location Updating（以後、LUと略す。）処理を実施し、RAI値が異なるCellに対してCell reselectionを実施した場合には、Routing Area Updating（以後、RAUと略す。）処理とLU処理を実施する。LU処理やRAU処理を実施する場合には、待ち受け状態であるIDLE状態とは異なり、基地局との通信を実施するDPCH（Dedicated Physical CHannel）状態であるため、より多くの電力が消費される。
【０００４】
上記Cellの選択に関連する技術として、例えば、下記特許文献１には、自局セルを再選択するセル再選択動作を行うセル再選択制御手段と、以前に自局セルとしていたセルをセル再選択動作により新たに自局セルとする回数をカウントするカウント手段と、所定時間を計時する計時手段と、計時手段による計時動作が満了する前にカウント手段によるカウント値が所定数に達した場合に、セル再選択動作のバタツキが発生したと判定するバタツキ発生判定手段と、バタツキが発生したと判定された場合にセル再選択動作を抑制する抑制制御手段と、を備えるセル再選択装置が開示されている。
【０００５】
また、下記特許文献２には、自セルから報知情報として自セルの負荷に応じて変化する第１のオフセット値を受信する自セル報知情報受信ステップ、周辺セルから報知情報として周辺セルの負荷に応じて変化する第２のオフセット値を受信する周辺セル報知情報受信ステップ、自セルの伝搬レベルを測定する自セル伝搬レベル測定ステップ、周辺セルの伝搬レベルを測定する周辺セル伝搬レベル測定ステップ、第１のオフセット値を自セルの伝搬レベルに追加した値と、第２のオフセット値を周辺セルの伝搬レベルに追加した値とを比較する比較ステップ、比較結果に基づいてセル選択を行うセル選択ステップ、を有するセル選択方法が開示されている。
【先行技術文献】
【特許文献】
【０００６】
【特許文献１】２００６−１５７２１７号公報
【特許文献２】２００８−１７２３７３号公報
【発明の概要】
【発明が解決しようとする課題】
【０００７】
しかしながら、特許文献１、２の技術は、セル毎に重み付けを行う手法であるため、自局セルと周辺セルの受信レベルが同等、かつ、受信レベルの大小関係が逆転する場合には、効果的にセル再選択動作を抑制することができない
【０００８】
本発明は、上記問題点に鑑みてなされたものであって、その主たる目的は、同じCell間でのCell reselectionを繰り返すことによる余分な電力消費を抑制することができる携帯電話装置及び制御プログラムを提供することにある。
【課題を解決するための手段】
【０００９】
上記目的を達成するため、本発明は、各セルの基地局と無線通信を行う携帯電話装置において、複数のセルが重複する領域でセル再選択動作を実施した時の、当該セル再選択動作の実施時刻と移行前後のセルを特定する情報とを対応付けて記憶部に記憶し、前記記憶部に記憶されたセル間で、規定時間内に規定回数以上のセル再選択動作が実施された場合に、当該各セルの受信レベルを重み付けして平滑化する処理を行うものである。
【００１０】
また、本発明は、各セルの基地局と無線通信を行う携帯電話装置で動作する制御プログラムであって、前記携帯電話装置を、複数のセルが重複する領域でセル再選択動作を実施した時の、当該セル再選択動作の実施時刻と移行前後のセルを特定する情報とを対応付けて記憶部に記憶し、前記記憶部に記憶されたセル間で、規定時間内に規定回数以上のセル再選択動作が実施された場合に、当該各セルの受信レベルを重み付けして平滑化するセル再選択動作抑制部として機能させるものである。
【発明の効果】
【００１１】
本発明の携帯電話装置及び制御プログラムによれば、同じCell間でのCell reselectionを繰り返すことによる余分な電力消費を抑制することができる。
【００１２】
その理由は、同じCell間で、Cell reselectionが規定回数以上実施された場合に、現在位置登録しているCellと移行候補のCellの受信レベル測定に使用している平滑化の重み付けを変更する制御を行うため、Cell reselectionの発生を効果的に抑制することができるからである。
【図面の簡単な説明】
【００１３】
【図１】携帯電話装置が２つのCellが同等レベルで見える場所に居る状態を模式的に示す図である。
【図２】携帯電話装置が２つのCellが同等レベルで見える場所に居た場合のCell reselectionを説明する図である。
【図３】本発明の一実施例に係る携帯電話装置の構成を示すブロック図である。
【図４】平滑化をせずに測定した値のままの場合の受信レベルの変動を示す図である。
【図５】平滑化の重み付けをActive CellとMonitor Cellで同等とした場合の受信レベルの変動を示す図である。
【図６】平滑化の重み付けをActive CellとMonitor Cellで変えた場合の受信レベルの変動を示す図である。
【図７】Cell reselectionの実施時刻と移行前のCell及び移行後のCellのScrambling codeを示す図である。
【図８】本発明の一実施例に係る携帯電話装置の動作を示すフローチャート図である。
【発明を実施するための形態】
【００１４】
背景技術で示したように、２つのCellが同等レベルで見える場所に携帯電話装置がある場合に、フェージングや干渉の度合いにより各Cellの受信レベルが変動し、該Cell間でCell reselectionを繰り返し、余分な電力を消費するという問題がある。
【００１５】
この問題に対して、特許文献１では、セル再選択動作のバタツキが発生した場合に、周辺セルの受信電波強度の測定値に対して補正値を減算する補正を行い、周辺セルの受信電波強度を低く扱う方法を提案している。しかしながら、この方法では、自局セルと周辺セルの受信レベルが同等であり、受信レベルの大小関係が繰り返し逆転する場合には、周辺セルの測定値に補正値を減算しても、大小関係の逆転を効果的に抑制することができないという問題が生じる。
【００１６】
また、特許文献２では、自セルと周辺セルに対して、セルの伝搬レベルにオフセット値を追加して比較する方法を提案している。しかしながら、この方法でも、自セルと周辺セルの受信レベルが同等であり、受信レベルの大小関係が繰り返し逆転する場合には、オフセット値を追加しても、大小関係の逆転を効果的に抑制することができないという問題が生じる。
【００１７】
このような問題は、セル毎に重み付けを行うことに起因していることから、本発明では、各セルにおける測定値の平滑化に際して測定値毎に重み付けを行う方法を採用する。
【００１８】
具体的には、同じCell間でCell reselectionが規定回数以上実施された場合に、現在位置登録しているCell(以後、Active Cellと呼ぶ。)と、Cell reselectionで移行候補のCellとして受信レベルを測定しているCell（以後、Monitor Cellと呼ぶ。）の受信レベルを測定する際の平滑化の重み付けを変更する制御（すなわち、受信レベルの平滑化に際して前回の測定値と現在の測定値とに係数を掛け合わせて重み付けする制御）を行い、Cell reselectionの発生を効果的に抑制する。
【実施例】
【００１９】
上記した本発明の実施の形態についてさらに詳細に説明すべく、本発明の一実施例に係る携帯電話装置及び制御プログラムについて、図３乃至図８を参照して説明する。図３は、本実施例の携帯電話装置の構成を示すブロック図である。また、図４乃至図６は、受信レベルの変動を示す図であり、図４は平滑化をせずに測定した値のままの場合、図５は平滑化の重み付けをActive CellとMonitor Cellで同等とした場合、図６は平滑化の重み付けをActive CellとMonitor Cellで変えた場合である。また、図７は、Cell reselectionの実施時刻と移行前のCell及び移行後のCellのScrambling codeを示す図であり、図８は、本実施例の携帯電話装置の動作を示すフローチャート図である。
【００２０】
図３に示すように、本実施例の携帯電話装置１０は、制御部１１、無線通信部１２、表示部１３、操作部１４、音声処理部１５などを備えている。
【００２１】
制御部１１は、ＣＰＵ（Central Processing Unit）、ＲＯＭ（Read Only Memory）やＲＡＭ（Random Access Memory）などのメモリで構成される。ＣＰＵは、電話機能、メール機能、インターネット（ｗｅｂ）接続機能、その他の端末の有する機能や各部の制御を行う。メモリは、電話帳情報、送受信メール情報、発着呼情報、コンテンツ情報、アプリケーションプログラム情報、携帯電話装置１０の設定情報などに加え、後述するCell reselectionの実施時刻と移行前のCell及び移行後のCellのScrambling codeとを対応付けるテーブルなどを記憶する部分であり、記憶された情報はＣＰＵによって処理される。
【００２２】
また、制御部１１は、上記テーブルをメモリに記憶し、テーブルに記述されたScrambling Code間で、規定時間内に、規定回数以上のCell reselectionが実施されたかを判定し、実施された場合に、Active CellとMonitor Cellの測定に使用する平滑化の重み付けを変更するセル再選択動作抑制部としても機能する。このセル再選択動作抑制部はハードウェアとして構成してもよいし、コンピュータをセル再選択動作抑制部として機能させる制御プログラムとして構成し、当該制御プログラムを制御部１１上で動作させる構成としてもよい。なお、上記規定時間と規定回数は、携帯電話装置１０の開発ベンダーが設定することができる。
【００２３】
無線通信部１２は、アンテナを介して無線基地局装置との間で無線により情報の送受を行う。
【００２４】
表示部１３は、液晶表示装置（ＬＣＤ：Liquid Crystal Display）や有機ＥＬ（electroluminescence）表示装置等からなり、画像、図形、文字、記号などの情報表示出力（映像信号処理）を行う。
【００２５】
操作部１４は、テンキー、スクロールキー、十字キー、決定キー等から構成され、携帯電話装置１０に対するユーザの各種情報入力を行う。
【００２６】
音声処理部１５は、送話部（マイク１５ｂ）および受話部（スピーカ１５ａ）を介して入出力された音声信号の処理を行う。
【００２７】
なお、図３は、本実施例の携帯電話装置１０の一例であり、上記セル再選択動作抑制部として機能する手段を有する限りにおいて、その構成は適宜変更可能である。
【００２８】
次に、上記構成の携帯電話装置１０における平滑化の重み付けの具体例について説明する。
【００２９】
図７は、以前に実施したCell reselectionにおける、Cell reselectionの実施時刻とScrambling code（各Cellを区分するコード）とを対応付けるテーブルの一例であり、Scrambling codeの左側は移行前のCell、右側は移行後のCellのコードである。
【００３０】
通常の場合であれば、平滑化の重み付けはActive CellとMonitor Cellとで同等であるが、Active CellとMonitor Cellの平滑化の重み付けをそれぞれ変更することにより、２つのCellの測定値に差分が発生し、同じCell間でのCell reselectionを抑制することができる。以下に平滑化の重み付けの一例を記載する。
【００３１】
図４は、平滑化をせずに測定した値のままの場合の受信レベルの変動を示す。この場合、Active CellとMonitor Cellの受信レベルの大小関係が繰り返し逆転するため、Cell reselectionを繰り返して実施することになる。そこで、式１〜４のActive Cell及びMonitor Cellの前回及び現在の測定値に対して、式５〜７のように平滑化の重み付けを行う。
【００３２】
Active Cellの前回の測定値＝RA(n-1)  …  （１）
Active Cellの現在の測定値＝RA(n)  …  （２）
Monitor Cellの前回の測定値＝RM(n-1)  …  （３）
Monitor Cellの現在の測定値＝RM(n)  …  （４）
【００３３】
Active Cellの受信レベル＝[a*RA(n-1)＋b*RA(n)]/c  …  （５）
Monitor Cellの受信レベル＝[a*RM(n-1)＋b*RM(n)]/c  …  （６）
c=a+b  …  （７）
【００３４】
図５は、平滑化の重み付けをActive CellとMonitor Cellで同等とした場合の受信レベルの変動を示す。このように、Active Cell及びMonitor Cellの前回の測定値に対して係数aを掛け合わせ、Active Cell及びMonitor Cellの現在の測定値に対して係数bを掛け合わせることにより、Active CellとMonitor Cellの受信レベルの大小関係が逆転しにくくなるため、同じCell間でのCell reselectionを効果的に抑制することができる。
【００３５】
また、式８〜１０のように平滑化の重み付けを行うこともできる。
【００３６】
Active Cellの受信レベル＝[d*RA(n-1)＋e*RA(n)]/f  …  （８）
Monitor Cellの受信レベル＝[e*RM(n-1)＋d*RM(n)]/f  …  （９）
f=d+e（d≠e）  …  （１０）
【００３７】
図６は、平滑化の重み付けをActive CellとMonitor Cellで変えた場合の受信レベルの変動を示す。このように、Active Cellの前回の測定値と現在の測定値に対して各々係数d,eを掛け合わせ、Monitor Cellの前回の測定値と現在の測定値に対して各々係数e,dを掛け合わせることにより、Active CellとMonitor Cellの受信レベルの大小関係が更に逆転しにくくなるため、同じCell間でのCell reselectionをより効果的に抑制することができる。
【００３８】
なお、上述した平滑化の重み付けは一例であり、Active Cell及びMonitor Cellの前回の測定値と現在の測定値とに対して異なる係数を掛け合わせるものであればよい。
【００３９】
次に、本発明の携帯電話装置におけるCell reselection抑制動作に関して、図８のフローチャート図を用いて説明する。
【００４０】
ユーザが携帯電話装置を使用していない場合、携帯電話装置は待ち受け状態になる（Ｓ１０１）。この待ち受け状態で、制御部１１は、Active CellとMonitor Cellの受信レベルを比較し、Active Cellの受信レベルがMonitor Cellの受信レベルより劣化し、Cell reselection判定を満たした場合（Ｓ１０２）、Cell reselectionを実施する（Ｓ１０３）。
【００４１】
次に、制御部１１（セル再選択動作抑制部）は、Cell reselectionを実施した時間と、Cell reselectionで移行したCellと移行する前のScrambling Codeをメモリに保存する（Ｓ１０４）。そして、制御部１１（セル再選択動作抑制部）は、規定時間以内に、同じCell間で発生したCell reselectionの回数が規定回数以上であるかを判定し（Ｓ１０５）、規定回数以上の場合には、Active CellとMonitor Cellの測定に使用する平滑化の重み付けを変え（Ｓ１０６）、Ｓ１０１の待ち受け状態に戻る。
【００４２】
このように、本実施例では、Cell reselectionの実施時刻と移行前のCell及び移行後のCellのScrambling codeとを対応付けるテーブルをメモリに記憶し、予めメモリに記憶されたScrambling Code間で、規定時間内に規定回数以上のCell reselectionが実施されたかを判定し、実施された場合に、Active CellとMonitor Cellの測定に使用する平滑化の重み付けを変更することにより、効果的にCell reselectionを抑制することができ、Cell reselectionを繰り返すことによる余分な電力消費を抑制することができる。
【００４３】
なお、上記実施例では、２つのセル間でセル再選択動作を行う場合について記載したが、本発明は上記実施例に限定されるものではなく、３つ以上のセル間でセル再選択動作を行う場合に対しても同様に適用することができる。
【産業上の利用可能性】
【００４４】
本発明は、携帯電話装置等の移動体通信端末及び当該装置で動作する制御プログラムに利用可能である。
【符号の説明】
【００４５】
１０  携帯電話装置
１１  制御部
１２  無線通信部
１３  表示部
１４  操作部
１５  音声処理部
１５ａ  スピーカ
１５ｂ  マイク
【図１】
2010258735.tif 000003
【図２】
2010258735.tif 000004
【図３】
2010258735.tif 000005
【図４】
2010258735.tif 000006
【図５】
2010258735.tif 000007
【図６】
2010258735.tif 000008
【図７】
2010258735.tif 000009
【図８】
2010258735.tif 000010